(57)【要約】【課題】メッシュ状の電源配線を有する大型表示パネルの輝度勾配を可及的に均一にすることができる電気光学装置を提供する。【解決手段】  マトリクス状に配設した発光素子と、各発光素子に駆動電流を供給するためのメッシュ状の電源配線と、電源配線の左右の端部側及び上下の端部側から前記電源配線に前記駆動電流を供給する電源とを有して前記発光素子で形成する表示パネル１に画像を再生する電気光学装置において、  前記電源配線は、前記表示パネル１のＸ軸方向に沿う輝度分布の勾配が均一になるように前記Ｘ方向に沿う電源配線を介しての駆動電流供給能力が、前記表示パネル１のＹ軸方向に沿う電源配線を介しての駆動電流の供給能力よりも大きくなるように形成するとともに、  前記Ｙ軸Ｋ方向に沿う輝度分布の勾配を均一にするよう前記Ｙ軸方向に沿う発光素子の発光デューティーを制御するメイン制御回路１７を有する。【選択図】  図１
2006349986.tif 000002
【特許請求の範囲】
【請求項１】
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置の駆動方法であって、
前記表示パネルの一方向に沿う輝度分布の勾配を均一にするよう前記一方向に沿う発光
素子の発光デューティーを制御することを特徴とする電気光学装置の駆動方法。
【請求項２】
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置の駆動方法であって、
前記表示パネルの一方向に沿う電源配線を介しての電源電圧供給能力を、前記表示パネ
ルの他の方向に沿う電源配線を介しての電源電圧供給能力よりも大きくして前記表示パネ
ルの前記一方向に沿う輝度分布の勾配を均一にする一方、
前記表示パネルの他の方向に沿う輝度分布の勾配を均一にするよう前記他の方向に沿う
発光素子の発光デューティーを制御することを特徴とする電気光学装置の駆動方法。
【請求項３】
請求項１又は請求項２において、
前記表示パネルの他の方向に沿う輝度分布の勾配は、前記表示パネルで再生する映像信
号の平均階調値に起因する前記輝度分布の勾配も均一にするように前記平均階調値と関連
付けて前記他の方向に沿う発光素子の発光デューティーを制御することを特徴とする電気
光学装置の駆動方法。
【請求項４】
請求項１乃至請求項３の何れか一つにおいて、
発光デューティーを制御する代わりに各発光素子の発光輝度を示す階調データを変更し
て前記輝度分布の勾配を均一に制御することを特徴とする電気光学装置の駆動方法。
【請求項５】
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置において、
前記表示パネルの一方向に沿う輝度分布の勾配を均一にするよう前記一方向に沿う発光
素子の発光デューティーを制御する制御手段を有することを特徴とする電気光学装置。
【請求項６】
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置において、
前記電源配線は、前記表示パネルの一方向に沿う輝度分布の勾配が均一になるように前
記一方向に沿う電源配線を介しての電源電圧供給能力が、前記表示パネルの他の方向に沿
う電源配線を介しての電源電圧供給能力よりも大きくなるように形成するとともに、
前記他の方向に沿う輝度分布の勾配を均一にするよう前記他の方向に沿う発光素子の発
光デューティーを制御する制御手段を有することを特徴とする電気光学装置。
【請求項７】
請求項６において、
前記電源配線は、前記表示パネルの一方向に沿う電源配線の数を前記表示パネルの他の
方向に沿う電源配線の数よりも多くすることで前記一方向及び前記他の方向に関する前記
電源電圧供給能力の差を確保するように構成したことを特徴とする電気光学装置。
【請求項８】
請求項６において、
前記電源配線は、前記表示パネルの一方向に沿う電源配線の断面積を前記表示パネルの
他の方向に沿う電源配線の断面積よりも大きくすることで前記一方向及び前記他の方向に
関する前記電源電圧供給能力の差を確保するように構成したことを特徴とする電気光学装
置。
【請求項９】
請求項６乃至請求項８の何れか一つにおいて、
前記制御手段は、前記表示パネルの他の方向に沿う輝度分布の勾配が、前記表示パネル
で再生する映像信号の平均階調値に起因する前記輝度分布の勾配も緩和するように前記平
均階調値と関連付けて前記他の方向に沿う発光素子の発光デューティーを制御するもので
あることを特徴とする電気光学装置。
【請求項１０】
請求項５乃至請求項９の何れか一つにおいて、
前記制御手段は、前記発光デューティーを制御する代わりに各発光素子の発光輝度を示
す階調データを変更して前記輝度分布の勾配が均一になるように制御するものであること
を特徴とする電気光学装置。
【請求項１１】
画像を表示する表示手段として請求項５乃至請求項１０の何れかに記載する電気光学装
置を備えたことを特徴とする電子機器。
【発明の詳細な説明】
【技術分野】
【０００１】
本発明は電気光学装置の駆動方法及び電気光学装置並びに電子機器に関し、特に有機発
光ダイオード素子（ＯＬＥＤ（Organic  Light  Emitting  Diode）素子と称す。）等の
自発光素子をマトリクス状に形成して表示画面である大型の表示パネルを有するものに適
用して有用なものである。
【背景技術】
【０００２】
有機ＥＬディスプレイは応答速度が速い、コントラスト比が高い、視野角が広い、薄型
軽量である等、種々の特長を有するので次世代のディスプレイとして期待される。
【０００３】
ここで有機ＥＬは低分子と高分子の２種類がある。低分子は主に蒸着プロセス、高分子
はインクジェットプロセスが用いられている。低分子の蒸着プロセスではマスクのコスト
等の問題から、大型化には向かないとされる。一方、インクジェットプロセスでは、基板
サイズに関係なく、ＯＬＥＤ素子の材料を塗布することが可能となってきている。実際、
インクジェットプロセスにより形成した４０インチ有機ＥＬディスプレイも発表されてい
る。
【０００４】
このようにインクジェット技術を使うことにより、大型有機ＥＬディスプレイが実現で
きる。従来技術に係る大型有機ＥＬディスプレイの構成の一例を図７に示す。同図に示す
ように、表示パネル１は複数のＯＬＥＤ素子をマトリクス状に配設して構成される。表示
パネル１にはＯＬＥＤ素子を発光させるための左右両端５個ずつのスキャンドライバＩＣ
２ａ、上下両端８個ずつのデータドライバＩＣ２ｂ、２個のタイミング制御回路３，４及
び２個のデータドライバ制御回路５，６が配設されている。
【０００５】
ここで、タイミング制御回路３，４にはメイン制御回路７からタイミング制御信号が供
給される。このタイミング制御信号に基づきタイミング制御回路３，４は発光させるＯＬ
ＥＤ素子の一つのラインを選択する。また、データドライバ制御回路５，６にはメイン制
御回路７から上下に二等分した出力映像データが供給される。これら各出力映像データに
基づき階調に応じてＯＬＥＤ素子の発光輝度を制御する。
【０００６】
メイン制御回路７は入力映像データを入力して所定の処理を行うことにより前述のタイ
ミング制御信号及び出力映像データを形成する。すなわち、各種の制御信号を形成すると
ともに、入力映像データにガンマ補正等の画像処理を施して出力映像データを形成する。
【０００７】
ところで、かかる大型有機ＥＬディスプレイにおいてＯＬＥＤ素子を発光させる画素回
路は、例えば図８に示すような回路である。この回路の動作を簡単に説明する。データ線
Ｖｄａｔａに供給される入力信号の書き込み時は、Ｑ４をオフにした状態でＱ１、Ｑ２を
オンにする。これにより信号電流の駆動トランジスタであるＱ３を電流が流れる。このと
き、Ｑ３のゲートとドレインは接続されており、飽和領域にて駆動している。よって式（
１）に示される式に基づいて、入力電流に相当するゲート電圧が書き込まれ、画素容量素
子であるキャパシタＣ１に保持される。
【０００８】
Ｉｄｓ＝１／２・μ（Ｗ／Ｌ）Ｃｏｘ（Ｖｇｓ−｜Ｖｔｈ｜）２  …（１）
ここで、μはキャリアの移動度を、Ｃｏｘは単位面積あたりのゲート容量を、Ｗはゲー
ト幅を、Ｌはゲート長を、ＶｇｓはＱ３のゲート・ソース間電圧を、ＶｔｈはＱ３の閾値
Ｖｔｈをそれぞれ示している。
【０００９】
その後Ｑ１、Ｑ２をオフしＱ４をオンすることで、入力信号電流に相当する電流がＱ３
とＯＬＥＤ素子に流れる。
【００１０】
図９にこのときのタイミングチャートを示す。同図に示すように、ＧＷＴオンで書き込
み、ＧＥＬオンで発光するわけだが、ＧＥＬオン時間をコントロールすることで、発光輝
度を制御できる。例えば、ＧＥＬが５０％のとき、発光輝度はＧＥＬオン時間最大時の５
０％になる。この発光比率をデューティーと呼ぶことにする。この発光デューティーによ
っても発光輝度を制御できる。
【００１１】
ＯＬＥＤ素子の駆動に際しては表示パネル周辺部から必要な電源電圧ＶＥＬを印加する
。大型有機ＥＬディスプレイの場合、電源配線のレイアウトは、通常図１０に示すような
メッシュパターンである。こうすることにより、表示パネル１内の電源電圧ＶＥＬを均一
にするためである。ちなみに、同図に示す電源配線には左右両側と上下両側から電源回路
（図示せず）により電圧が印加されている。なお、図中Ｒ，Ｇ，Ｂはそれぞれ三原色のＯ
ＬＥＤ素子を示しており，ＶＥＬＲ、ＶＥＬＧ、ＶＥＬＢがそれぞれＲ，Ｇ，Ｂに対応す
るＯＬＥＤ素子の電源電圧であることを示している。
【００１２】
ところで、メッシュ状の前記電源配線は抵抗を持つため、電圧降下により表示パネル１
の周辺部に較べて中央部の電源電圧がどうしても低下してしまう。そのため、中央部では
周辺部よりも輝度が低下する。特に大型有機ＥＬディスプレイの場合、電源配線の配線長
が長くなるため、この電圧降下による表示パネル周辺部分と表示パネル中央部分で輝度差
が大きくなるという問題がある。
【００１３】
この電圧降下による輝度差は、例えば以下のような方法で制御、軽減することができる
。（１）電源の配線幅を太くし、配線抵抗を低減させる。（２）配線をより導電率の高い
材料（例えばＡｇ、Ａｕ、Ｃｕ）を使用する。（３）表示パネル周辺と表示パネル中央の
輝度差を予め測定し、その輝度差を補正するよう映像データを加工する。
【００１４】
ところが、（１）の対策で配線幅を太くすると、有機ＥＬ素子の画素面積を小さく（回
効率を低下）してしまう。（２）の対策ではプロセスの難易度の向上、コスト上昇等の新
たな問題を生起する。また、（３）の対策では、輝度補正用に階調データを余分に確保し
なければならず、従来に比べ階調性が低下するという問題がある。
【００１５】
さらに、他の問題として、表示する映像により表示パネル周辺と、表示パネル中央部の
輝度勾配が異なるといった現象が挙げられる。これは画素回路の動作状態により画素回路
部分での抵抗が異なるため発生する。例えば、全面白表示（８ｂｉｔ階調をもつ場合、階
調２５５）と全面灰色（階調１２７）とを比較すると、図１１に示すように、異なる輝度
特性を有する。同図の横軸は表示パネルの上下方向（Ｙ軸方向）のライン数、縦軸は全面
白表示輝度を１００％にした場合の相対輝度である。同様の特性は左右方向のラインに関
しても見られる。
【００１６】
なお、当該技術分野の公知技術としては下記の特許文献を挙げることができる。
【００１７】
【特許文献１】特開２００４−３５４４２７号公報
【発明の開示】
【発明が解決しようとする課題】
【００１８】
本発明は、上記従来技術に鑑み、メッシュ状の電源配線を有する大型表示パネルの輝度
勾配を可及的に均一にすることができる電気光学装置の駆動方法及び電気光学装置並びに
電子機器を提供することを目的とする。
【課題を解決するための手段】
【００１９】
本発明の第１の態様に係る電気光学装置の駆動方法は、
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置の駆動方法であって、
前記表示パネルの一方向に沿う輝度分布の勾配を均一にするよう前記一方向に沿う発光
素子の発光デューティーを制御することを特徴とする。
【００２０】
本態様によれば、前記表示パネルの水平方向乃至垂直方向の二方向のうちの少なくとも
一方向に沿う輝度分布の勾配は均一にすることができるので、大型の表示パネルであって
もこれに表示する画像の品質を向上させることができる。
【００２１】
本発明の第２の態様に係る電気光学装置の駆動方法は、
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置の駆動方法であって、
前記表示パネルの一方向に沿う電源配線を介しての電源電圧供給能力を、前記表示パネ
ルの他の方向に沿う電源配線を介しての電源電圧供給能力よりも大きくして前記表示パネ
ルの前記一方向に沿う輝度分布の勾配を均一にする一方、
前記表示パネルの他の方向に沿う輝度分布の勾配を均一にするよう前記他の方向に沿う
発光素子の発光デューティーを制御することを特徴とする。
【００２２】
本態様によれば、前記表示パネルの水平乃至垂直の二方向にそれぞれ沿う輝度分布の勾
配を均一にすることができるので、第１の態様に係る発明の場合よりも表示パネルで表示
する画像の品質をさらに向上させることができる。
【００２３】
本発明の第３の態様に係る電気光学装置の駆動方法は、
上記第１又は第２の態様に係る電気光学装置の駆動方法において、
前記表示パネルの他の方向に沿う輝度分布の勾配は、前記表示パネルで再生する映像信
号の平均階調値に起因する前記輝度分布の勾配も均一にするように前記平均階調値と関連
付けて前記他の方向に沿う発光素子の発光デューティーを制御することを特徴とする。
【００２４】
本態様によれば、第１又は第２の態様に係る発明の作用・効果に加え、映像信号の平均
階調値に起因する相対輝度の変動による輝度勾配への影響も良好に緩和することができる
。この結果表示パネルで表示する画像の品質を第１又は第２の態様に係る発明よりもさら
に向上させることができる。
【００２５】
本発明の第４の態様に係る電気光学装置の駆動方法は、
上記第１乃至第３の態様に係る何れか一つの電気光学装置の駆動方法において、
発光デューティーを制御する代わりに各発光素子の発光輝度を示す階調データを変更し
て前記輝度分布の勾配を均一に制御することを特徴とする。
【００２６】
本態様によれば、輝度分布の勾配が均一になるように各発光素子を発光させることがで
きるので、上記第１乃至第３の態様と同様の効果を得ることができる。
【００２７】
本発明の第５の態様に係る電気光学装置は、
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置において、
前記表示パネルの一方向に沿う輝度分布の勾配を均一にするよう前記一方向に沿う発光
素子の発光デューティーを制御する制御手段を有することを特徴とする。
【００２８】
本態様によれば、前記表示パネルの水平方向乃至垂直方向の二方向のうちの少なくとも
一方向に沿う輝度分布の勾配は均一にすることができるので、大型の表示パネルであって
もこれに表示する画像の品質を向上させることができる。
【００２９】
本発明の第６の態様に係る電気光学装置は、
複数の走査線と、複数のデータ線と、前記走査線と前記データ線との交差に対応してマ
トリクス状に配設された複数の発光素子と、前記複数の発光素子の各々に駆動に必要な電
圧を供給するためのメッシュ状の電源配線と、を有する表示パネルと、前記電源配線の少
なくとも左右何れかの端部側及び少なくとも上下何れかの端部側から前記電源配線に前記
電圧を供給する電源と、を有する電気光学装置において、
前記電源配線は、前記表示パネルの一方向に沿う輝度分布の勾配が均一になるように前
記一方向に沿う電源配線を介しての電源電圧供給能力が、前記表示パネルの他の方向に沿
う電源配線を介しての電源電圧供給能力よりも大きくなるように形成するとともに、
前記他の方向に沿う輝度分布の勾配を均一にするよう前記他の方向に沿う発光素子の発
光デューティーを制御する制御手段を有することを特徴とする。
【００３０】
本態様によれば、一方向に関しては電源配線の構造を工夫することにより発光輝度の均
一化を図り、他の方向に関しては同方向の発光輝度の勾配をキャンセルするように発光素
子のデューティーを制御することで発光輝度の勾配の均一化を図ることができる。この結
果、表示パネルで表示する画像の品質をさらに向上させることができる。
【００３１】
本発明の第７の態様に係る電気光学装置は、
上記第６の態様に係る電気光学装置において、
前記電源配線は、前記表示パネルの一方向に沿う電源配線の数を前記表示パネルの他の
方向に沿う電源配線の数よりも多くすることで前記一方向及び前記他の方向に関する前記
電源電圧供給能力の差を確保するように構成したことを特徴とする。
【００３２】
本態様によれば、電源配線の数を一方向とこれに直交する他の方向とで異ならせたので
両者の間で電圧降下量の違いに起因する駆動電流の供給能力に差を設けることができ、こ
れにより第６の態様に係る発明の効果を容易に得ることができる。
【００３３】
本発明の第８の態様に係る電気光学装置は、
上記第６の態様に係る電気光学装置において、
前記電源配線は、前記表示パネルの一方向に沿う電源配線の断面積を前記表示パネルの
他の方向に沿う電源配線の断面積よりも大きくすることで前記一方向及び前記他の方向に
関する前記電源電圧供給能力の差を確保するように構成したことを特徴とする。
【００３４】
本態様によれば、電源配線の断面積を一方向とこれに直交する他の方向とで異ならせた
ので両者の間で導電率の違いに起因する駆動電流の供給能力に差を設けることができ、こ
れにより第６の態様に係る発明の効果を容易に得ることができる。
【００３５】
本発明の第９の態様に係る電気光学装置は、
上記第６乃至第８の何れか一つに記載する電気光学装置において、
前記制御手段は、前記表示パネルの他の方向に沿う輝度分布の勾配が、前記表示パネル
で再生する映像信号の平均階調値に起因する前記輝度分布の勾配も緩和するように前記平
均階調値と関連付けて前記他の方向に沿う発光素子の発光デューティーを制御するもので
あることを特徴とする。
【００３６】
本態様によれば、第６乃至第８の何れかの態様に係る発明の作用・効果に加え、映像信
号の平均輝度に起因する相対輝度の変動による輝度勾配への影響も良好に緩和することが
できる。この結果表示パネルで表示する画像の品質をさらに向上させることができる。
【００３７】
本発明の第１０の態様に記載する電気光学装置は、
上記第５乃至第９の何れか一つに記載する電気光学装置において、
前記制御手段は、前記発光デューティーを制御する代わりに各発光素子の発光輝度を示
す階調データを変更して前記輝度分布の勾配が均一になるように制御するものであること
を特徴とする。
【００３８】
本態様によれば、輝度分布の勾配が均一になるように各発光素子を発光させることがで
きるので、上記第５乃至第９の態様と同様の効果を得る。
【００３９】
本発明の第１１に記載する電子機器は、
画像を表示する表示手段として請求項５乃至請求項１０の何れかに記載する電気光学装
置を備えたことを特徴とする。
【００４０】
本態様によれば、特に自発光素子をマトリクス状に配設したディスプレイが大型のもの
であっても、良好な画質の画像を表示することができる。
【発明を実施するための最良の形態】
【００４１】
以下、本発明の実施の形態を図面に基づき詳細に説明する。なお、本実施の形態の説明
は例示であり、本発明の構成は以下の説明に限定されない。
【００４２】
＜第１の実施の形態＞
図１は本発明の第１の実施の形態に係る大型有機ＥＬディスプレイの構成を示す説明図
である。同図に示すように、表示パネル１は多数のＯＬＥＤ素子をマトリクス状に配設し
てなる。表示パネル１にはＯＬＥＤ素子を発光させるための左右両端５個ずつのスキャン
ドライバＩＣ２ａ、上下両端８個ずつのデータドライバＩＣ２ｂ、２個のタイミング制御
回路３，４及び２個のデータドライバ制御回路５，６が配設されている。また、各ドライ
バＩＣ２ａ、２ｂやＯＬＥＤ素子を駆動するため電源は、図示はしないが、前記表示パネ
ル１の左右両側及び上下両側からそれぞれ駆動電圧を供給するように構成してある。
【００４３】
ここで、タイミング制御回路３，４にはメイン制御回路１７からタイミング制御信号が
供給される。このタイミング制御信号に基づきタイミング制御回路３，４は発光させるＯ
ＬＥＤ素子の一つのラインを選択する。また、データドライバ制御回路５，６にはメイン
制御回路１７から上下に二等分した映像データが供給される。これら各映像データに基づ
き階調に応じてＯＬＥＤ素子の発光輝度を制御する。
【００４４】
メイン制御回路１７は入力映像データを入力して所定の処理を行うことにより前述のタ
イミング制御信号及び映像データを形成する。すなわち、基本的な機能は図７に示す従来
技術のものと同様であり、各種の制御信号を形成するとともに、入力映像データにガンマ
補正等の画像処理を施して出力映像データを形成する。
【００４５】
なお、以下の説明において、図中のＸ軸方向とは水平方向、Ｙ軸方向とはＸ軸と直交す
る垂直方向をいう。また、前記表示パネル１の画素数は、Ｘ軸方向が１２８０個で、Ｙ軸
方向が１０２４個として考える。
【００４６】
図２は、図１に示すディスプレイの電源配線のレイアウトを示す説明図である。ここで
、同図中の、Ｒ，Ｇ，Ｂはそれぞれ三原色のＯＬＥＤ素子を示しており，ＶＥＬＲ、ＶＥ
ＬＧ、ＶＥＬＢがそれぞれＲ，Ｇ，Ｂに対応するＯＬＥＤ素子の電源電圧であることを示
している。
【００４７】
図２に示すように、本形態に係る電源配線においては、Ｙ軸方向に分布してそれぞれＸ
軸方向のラインを形成している電源配線の数を、Ｘ軸方向に分布してそれぞれＹ軸方向に
伸びる電源配線の数よりも多くしてある。本形態では、Ｘ軸方向に関しては画素ＲＧＢの
５組に対してＹ軸方向のラインを形成する１本の電源配線が割り当てられているのに対し
、Ｙ軸方向に関しては画素ＲＧＢの１組ごとにＸ軸方向ラインを形成する電源配線が割り
当てられている。すなわち、このときの電源配線比率は１：５である。したがって、Ｘ軸
方向の電源電圧供給能力はＹ軸方向の電源電圧供給能力よりもほぼ５倍高いことになる。
この結果、電源配線のＸ軸方向での電圧降下はその分小さくなる。かくして、表示パネル
１の中央部の画像の輝度が最も落ち込むという輝度勾配の不均一は、Ｘ軸方向に関しては
緩和される。
【００４８】
同様の効果は，Ｘ軸方向とＹ軸方向との電源配線の幅を変える等、電源配線の断面積を
変えることによっても得ることができる。
【００４９】
このように、電源配線の比率乃至電源配線の断面積の変更によってＸ軸方向とＹ軸方向
との電源電圧供給能力を変える場合には、単位画素当たりで必要とする占有面積を変える
ことなくこれを行うことができる。一方が増加した分を他方の減少で補完することができ
るからである。
【００５０】
以上の構成でＸ軸方向の輝度分布の勾配の不均一は従来よりも緩和されるが、このまま
ではＹ軸方向の輝度分布の勾配の不均一が相対的に大きくなる。そこで、本形態では次の
ように構成することでＹ軸方向での輝度分布の均一化も図っている。これを次に説明する
。
【００５１】
図１に示すように、本形態に係るメイン制御回路１７は、映像データ検出回路１７ａ、
平均階調算出回路１７ｂ、初期発光デューティー決定回路１７ｃ、発光デューティー生成
回路１７ｄ及びフレームメモリ１７ｅを有している。
【００５２】
これらのうち映像データ検出回路１７ａでは、入力映像データから輝度ヒストグラムを
作成する。この輝度ヒストグラムに関するデータが供給される平均階調算出回路１７ｂで
は、輝度ヒストグラムから平均階調を算出する。初期発光デューティー決定回路１７ｃは
、前記平均階調算出回路１７ｂで算出した平均階調から図３のグラフに基づき表示パネル
１の周辺部の初期発光デューティーの値を決定する。
【００５３】
図３では平均階調が大きくなるにつれて発光デューティーを低減するように設定してあ
る。平均階調が大きくなるにつれて相対輝度の変化幅が大きい（図１１参照。）からであ
る。ここで、図３に示すグラフは線形特性になっているが、表示パネル１の特性によりこ
のグラフのカーブは変わってくる。
【００５４】
発光デューティー生成回路１７ｄでは、初期発光デューティー決定回路１７ｃで決定さ
れた表示パネル１の周辺部の発光デューティーから発光デューティーが１００％までの間
を、図４に示すように、Ｙ軸に沿うラインごとに予め設定しておいた１０２４種類の発光
デューティーを生成する。これはある式に基づいて生成してもよい。
【００５５】
発光デューティー生成回路１７ｄの出力信号であるタイミング制御信号はタイミング制
御回路３，４に供給されるが、このタイミング制御回路３，４を介して図８に示すＱ４の
デューティーを制御する。このデューティー制御の実際は、図９に例示する場合と同様に
、設定したデューティー値になるようにＧＥＬでＱ４のオン時間を制御することにより行
う。
【００５６】
フレームメモリ１７ｅは１フレーム期間分の入力映像データを記憶する。これは、映像
データ検出回路１７ａ乃至発光デューティー生成回路１７ｄでの処理時間を確保するため
である。したがって、出力映像データは、１フレーム期間遅延したタイミングでフレーム
メモリ１７ｅからデータドライバ制御回路５，６に供給される。このタイミングに同期し
て、発光デューティー情報を含むタイミング制御信号もタイミング制御回路３，４を介し
て表示パネル１に送出する。このことにより表示パネル１の全体の輝度を均一に設定する
ことができる。
【００５７】
かかる本形態によればＸ軸方向に関しては電源配線の構造を工夫したので、このＸ軸方
向の発光輝度の勾配の均一化を図り、Ｙ軸方向に関してはこのＹ軸方向の発光輝度の勾配
をキャンセルするように発光素子のデューティーを制御するようにしたので、前記Ｙ軸方
向の発光輝度の勾配の均一化を図ることができる。
【００５８】
＜第２の実施の形態＞
図５は本発明の第２の実施の形態に係る大型有機ＥＬディスプレイの構成を示す説明図
である。同図に示すように、本形態に係る電気光学装置は、そのほとんどの構成が図１に
示す第１の実施の形態に係る電気光学装置と同様である。異なるのはタイミング制御回路
３及びデータドライバ制御回路６が表示パネルの左側乃至下側にのみ配設された片側駆動
方式となっている点である。この場合、表示パネル１の上端と表示パネル下端の輝度は、
電源に近い表示パネル１の下端部が明るく、電源から遠い表示パネル１の上端部が暗くな
る。
【００５９】
本形態では、前記輝度勾配をキャンセルするようにＹ軸方向のライン上の輝度を制御す
る。具体的には、図６に示すようなグラフに基づきＹ軸方向のライン（表示パネル１の下
端を１として上端に向け本数で示している。）ごとの発光デューティーを設定する。これ
は、発光デューティー生成回路１７ｄで行う。
【００６０】
なお、Ｘ軸方向に関する発光輝度の勾配は、メッシュ状の電源配線を、図２に示すよう
に形成することで均一化を図っている。
【００６１】
また、上記第１及び第２の実施の形態では、初期発光デューティー決定回路１７ｃ等で
所定の処理を行っているので、入力映像データの平均階調に起因する、図１１に示すよう
なＹ軸方向の相対輝度の変動による輝度勾配への影響も良好に緩和することができるが、
必ずしもこのように構成する必要はない。Ｙ軸方向の相対輝度の変動の影響は残るが、図
４に示すグラフに準じるデューティー制御を行えば一定の輝度勾配の改善効果は得られる
。
【００６２】
さらに、第１及び第２の実施の形態における発光デューティーを制御する代わりに各発
光素子を発光させる階調データを変更しても前記輝度分布の勾配を均一に制御することは
可能であり、同様の効果を得ることができる。
【００６３】
＜応用例＞
次に、上述した実施の形態に係る電気光学装置Ｉを適用した電子機器について説明する
。図１２に、電気光学装置Ｉを適用したモバイル型のパーソナルコンピュータの構成を示
す。パーソナルコンピュータ２０００は、表示ユニットとしての電気光学装置Ｉと本体部
２０１０を備える。本体部２０１０には、電源スイッチ２００１及びキーボード２００２
が設けられている。この電気光学装置ＩはＯＬＥＤ素子４２０を用いるので、視野角が広
く見易い画面を表示できる。
【００６４】
図１３に、電気光学装置Ｉを適用した携帯電話機の構成を示す。携帯電話機３０００は
、複数の操作ボタン３００１及びスクロールボタン３００２、並びに表示ユニットとして
の電気光学装置Ｉを備える。スクロールボタン３００２を操作することによって、電気光
学装置Ｉに表示される画面がスクロールされる。
【００６５】
図１４に、電気光学装置Ｉを適用した情報携帯端末（ＰＤＡ：Personal Digital Assis
tants）の構成を示す。情報携帯端末４０００は、複数の操作ボタン４００１及び電源ス
イッチ４００２、並びに表示ユニットとしての電気光学装置Ｉを備える。電源スイッチ４
００２を操作すると、住所録やスケジュール帳といった各種の情報が電気光学装置Ｉに表
示される。
【００６６】
さらに、フィールドエミッション素子（ＦＥＤ）、表面電動型エミッション素子（ＳＥ
Ｄ）、弾道電子放出素子（ＢＳＤ）等の自発光素子を用いた表示装置にも好適に適用し得
る。
【００６７】
なお、電気光学装置Ｉが適用される電子機器としては、図１２乃至図１４に示すものの
他、液晶テレビ、カーナビゲーション装置、テレビ電話等が挙げられる。そして、これら
の各種電子機器の表示部として、前述した電気光学装置が適用可能である。
【図面の簡単な説明】
【００６８】
【図１】第１の実施の形態に係る大型有機ＥＬディスプレイを示す説明図である。
【図２】図１に示すディスプレイの電源配線のレイアウトを示す説明図である。
【図３】平均階調に基づき初期発光デューティーを決定するためのグラフである。
【図４】Ｙ軸方向に分布するラインごとの発光デューティーを示すグラフである。
【図５】第２の実施の形態に係る大型有機ＥＬディスプレイを示す説明図である。
【図６】Ｙ軸方向に分布するラインごとの発光デューティーを示すグラフである。
【図７】従来技術に係る大型有機ＥＬディスプレイの一例を示す説明図である。
【図８】図７に示すディスプレイの画素回路を示す回路図である。
【図９】図８に示す画素回路の動作タイミングを示すタイミングチャートである。
【図１０】図７に示すディスプレイの電源配線のレイアウトを示す説明図である。
【図１１】全面白表示と全面灰色表示の場合の輝度特性を示す特性図である。
【図１２】電気光学装置を適用したパーソナルコンピュータを示す斜視図である。
【図１３】電気光学装置を適用した携帯電話機の構成を示す斜視図である。
【図１４】電気光学装置を適用した携帯情報端末の構成を示す斜視図である。
【符号の説明】
【００６９】
１  表示パネル、  ３，４  タイミング制御回路、  ５，６  データドライバ制御回路、
１７  メイン制御回路、  １７ａ  映像データ検出回路、  １７ｂ  平均階調算出回路
、  １７ｃ  フレームメモリ、  １７ｃ  初期発光デューティー決定回路、  １７ｄ  発
光デューティー生成回路、  １７ｅ  フレームメモリ、  Ｉ  電気光学装置、  ＶＥＬ  
電源電圧、  Ｖｄａｔａ  データ線電圧
【図１】
2006349986.tif 000003
【図２】
2006349986.tif 000004
【図３】
2006349986.tif 000005
【図４】
2006349986.tif 000006
【図５】
2006349986.tif 000007
【図６】
2006349986.tif 000008
【図７】
2006349986.tif 000009
【図８】
2006349986.tif 000010
【図９】
2006349986.tif 000011
【図１０】
2006349986.tif 000012
【図１１】
2006349986.tif 000013
【図１２】
2006349986.tif 000014
【図１３】
2006349986.tif 000015
【図１４】
2006349986.tif 000016